(57)【要約】【課題】被検体に対する睡眠誘導によりモーションアーチファクトの少ない画像データを効率よく収集する。【解決手段】被検体（小児）１５０に対するＸ線ＣＴ撮影に先立ち、天板８の上面に対してスライド自在に据え付けられ被検体１５０を載置した保持具９を所定の揺動振幅で体軸方向（ｚ軸方向）へ揺動させることにより被検体１５０に対して睡眠誘導を行なう。次いで、被検体１５０が睡眠状態に入ったことを確認した操作者によって入力される揺動停止指示信号に基づいて保持具９の揺動を除除に停止させ、被検体１５０の検査対象部位が予め設定された撮影位置に停止したならば操作者によって入力される撮影開始指示信号に基づいて被検体１５０に対するＸ線ＣＴ撮影を開始する。【選択図】  図１
2011161033.tif 000002
【特許請求の範囲】
【請求項１】
被検体対し所定の撮影を行なって画像データを生成する医用画像診断装置において、
前記被検体を保持する保持具と、
前記被検体の揺動開始を指示する揺動開始指示信号及び揺動停止を指示する揺動停止指示信号を入力する入力手段と、
前記保持具を前記揺動開始指示信号に基づいて所定の方向へ揺動する保持具揺動手段とを
備えたことを特徴とする医用画像診断装置。
【請求項２】
前記保持具揺動手段は、揺動している前記保持具を前記揺動停止指示信号に基づいて所定の撮影位置に停止させることを特徴とする請求項１記載の医用画像診断装置。
【請求項３】
前記保持具揺動手段は、前記保持具を、その揺動振幅を除除に縮小させながら前記撮影位置に停止させることを特徴とする請求項２記載の医用画像診断装置。
【請求項４】
前記保持具揺動手段は、前記保持具を、その揺動を停止させた状態で所定の撮影位置に停止させることを特徴とする請求項２記載の医用画像診断装置。
【請求項５】
前記保持具が据え付けられた天板を備え、前記保持具揺動手段は、前記保持具を前記天板に沿って前記被検体の体軸方向へ揺動することを特徴とする請求項１記載の医用画像診断装置。
【請求項６】
天板移動手段を備え、前記天板移動手段は、前記揺動停止指示信号に基づき、前記天板を前記保持具の揺動方向に対して反対の方向へ往復移動させることを特徴とする請求項５記載の医用画像診断装置。
【請求項７】
前記天板移動手段は、前記保持具の揺動変位と前記天板の移動変位が相殺されることによって前記被検体が所定の撮影位置に停止するまで前記天板の往復移動振幅を除除に増大させることを特徴とする請求項６記載の医用画像診断装置。
【請求項８】
前記撮影を制御する制御手段を備え、前記制御手段は、前記揺動停止指示信号に基づいて前記被検体に対する撮影を開始することを特徴とする請求項１記載の医用画像診断装置。
【請求項９】
前記被検体の揺動を検出する揺動検出手段と前記撮影を制御する制御手段を備え、前記制御手段は、前記揺動検出手段の検出結果に基づいて前記被検体に対する撮影を開始することを特徴とする請求項１記載の医用画像診断装置。
【発明の詳細な説明】
【技術分野】
【０００１】
本発明は、医用画像診断装置に係り、特に、被検体の体動に起因して画像データに発生するモーションアーチファクトの低減を可能とした医用画像診断装置に関する。
【背景技術】
【０００２】
医用画像診断は、コンピュータ技術の発展に伴って実用化されたＸ線ＣＴ装置やＭＲＩ装置等により急速な進歩を遂げ、今日の医療において必要不可欠なものとなっている。特に近年のＸ線ＣＴ装置やＭＲＩ装置では、生体情報の検出ユニットや演算処理ユニットの高速化、高性能化に伴って複数スライス断面における画像データの収集と表示が容易となった。
【０００３】
例えば、Ｘ線ＣＴ装置においては、患者や受検者（以下では、被検体と呼ぶ、）の周囲に対向して配置されたＸ線管とＸ線検出器を高速回転させると共に前記被検体をその体軸方向へ連続移動させることにより複数のスライス断面における投影データを収集し、これらの投影データを再構成処理することにより前記スライス断面における画像データや３次元データ（ボリュームデータ）の生成が行なわれる。又、近年では、検出素子が２次元配列されたＸ線検出器を用いたマルチスライス方式の適用により３次元領域における投影データの収集に要する時間は更に短縮されている（例えば、特許文献１参照。）。
【先行技術文献】
【特許文献】
【０００４】
【特許文献１】特開２００５−１４３７３５号公報
【発明の概要】
【発明が解決しようとする課題】
【０００５】
ところで、小児等の被検体に対し、例えば、Ｘ線ＣＴ撮影を行なって診断に有効な画像データを生成する場合、撮影中における検査部位の静止を上述の被検体に対して要請することは困難な場合が多く、このような場合に得られる画像データには被検体の体動に起因したモーションアーチファクトが発生するため画質劣化を招き診断精度は著しく低下する。
【０００６】
このような問題点を解決するために、照明を暗くした検査室に当該被検体を仰臥させることによって睡眠を誘導し、睡眠状態に入った被検体に対して所定のＸ線ＣＴ撮影を行なう方法が通常行なわれてきた。しかしながら、このような従来の方法においては、被検体が睡眠状態に入るまでに多大な時間を要する場合があり。このようなときには検査効率（検査のスループット）が大幅に低下するという問題点を有していた。
【０００７】
本発明は、上述の問題点に鑑みてなされたものであり、その目的は、保持具に保持された小児等の被検体を前記保持具と共に所定の方向へ揺動することにより、前記被検体を短時間で睡眠状態へ誘導することが可能な医用画像診断装置を提供することにある。
【課題を解決するための手段】
【０００８】
上記課題を解決するために、請求項１に係る本発明の医用画像診断装置は、被検体対し所定の撮影を行なって画像データを生成する医用画像診断装置において、前記被検体を保持する保持具と、前記被検体の揺動開始を指示する揺動開始指示信号及び揺動停止を指示する揺動停止指示信号を入力する入力手段と、前記保持具を前記揺動開始指示信号に基づいて所定の方向へ揺動する保持具揺動手段とを備えたことを特徴としている。
【発明の効果】
【０００９】
本発明によれば、保持具に保持された被検体を前記保持具と共に所定の方向へ揺動することにより、前記被検体を短時間で睡眠状態へ誘導することができる。このため、モーションアーチファクトが大幅に低減された画像データを容易に収集することが可能となり、被検体に対する検査効率や診断精度を向上させることができる。
【図面の簡単な説明】
【００１０】
【図１】本発明の実施例における医用画像診断装置の全体構成を示すブロック図。
【図２】同実施例の医用画像診断装置が備える保持具の揺動方向を示す図。
【図３】同実施例における睡眠誘導の手順を示すフローチャート。
【図４】同実施例における被検体の揺動停止方法を説明するための図。
【図５】同実施例の変形例における保持具の揺動方向及び天板の往復移動方向を示す図。
【図６】同変形例における睡眠誘導の手順を示すフローチャート。
【図７】同変形例における被検体の揺動停止方法を説明するための図。
【発明を実施するための形態】
【００１１】
以下、図面を参照して本発明の実施例を説明する。
【実施例】
【００１２】
以下、本発明の実施例につき図１乃至図４を用いて説明する。
【００１３】
本実施例における医用画像診断装置では、被検体（小児）に対するＸ線ＣＴ撮影に先立ち、天板の上面に対してスライド自在に据え付けられ前記被検体を載置した保持具を所定の揺動振幅で体軸方向へ揺動させることによって被検体に対し睡眠誘導を行なう。そして、被検体が睡眠状態に入ったことを確認した医師や検査師（以下では、操作者と呼ぶ。）によって入力される揺動停止指示信号に基づいて保持具の揺動を除除に停止させ、被検体の検査対象部位が予め設定された撮影位置に停止したならば操作者によって入力される撮影開始指示信号に基づいて前記被検体に対するＸ線ＣＴ撮影を開始する。
【００１４】
尚、以下に示す本発明の実施例では、Ｘ線ＣＴ画像データの生成を可能とする医用画像診断装置について述べるが、これに限定されるものではなく、例えば、Ｘ線画像データ、ＭＲＩ画像データ、核医学画像データ等を生成する医用画像診断装置であっても構わない。
【００１５】
（装置の構成）
図１は、本実施例における医用画像診断装置の全体構成を示すブロック図であり、この医用画像診断装置１００は、後述の入力部１１から供給される撮影条件のＸ線照射条件に基づいて照射制御信号を生成する照射条件設定部１と、照射条件設定部１から供給される照射制御信号に従って被検体（小児）１５０に対しＸ線を照射するＸ線発生部２と、被検体１５０を透過したＸ線を検出して投影データを生成する投影データ生成部３と、投影データ生成部３が生成した投影データを再構成処理して画像データ（Ｘ線ＣＴ画像データ）を生成する画像データ生成部４と、画像データ生成部４によって生成された画像データを表示する表示部５を備えている。
【００１６】
又、医用画像診断装置１００は、Ｘ線発生部２及び投影データ生成部３の一部を搭載し被検体１５０の周囲にて所定速度で高速回転する回転架台部６と、回転架台部６を保持する固定架台部７と、図示しない寝台の上面にスライド自在に取り付けられ後述の保持具９に保持された被検体１５０を載置してその検査対象部位を回転架台部６の中央部に設けられた撮影野へ移動させる天板８と、被検体１５０を保持し天板８の上面に沿って体軸方向（ｚ軸方向）へ揺動する保持具９と、回転架台部６の高速回転、保持具９の揺動及び天板８の移動を行なう移動機構部１０を備え、更に、撮影条件の設定、画像データ生成条件及び画像データ表示条件の設定、天板８の移動や被検体１５０の揺動開始及び揺動停止、更には、Ｘ線ＣＴ撮影の開始を目的とした各種指示信号の入力等を行なう入力部１１と、医用画像診断装置１００に設けられた上述の各ユニットを統括的に制御するシステム制御部１２を備えている。
【００１７】
次に、医用画像診断装置１００が備える上述の各ユニットの構成と機能につき更に詳しく説明する。
【００１８】
図１に示す照射条件設定部１は、入力部１１からシステム制御部１２を介して供給される撮影条件のＸ線照射条件（例えば、管電圧、管電流及びＸ線照射時間）に基づいて照射制御信号を生成しＸ線発生部２へ供給する。
【００１９】
Ｘ線発生部２は、被検体１５０に対してＸ線を照射するＸ線管２１と、Ｘ線管２１の陽極と陰極の間に印加する高電圧を発生する高電圧発生器２２と、Ｘ線管２１から放射されたＸ線の被検体１５０に対する照射範囲を制御するＸ線絞り器２３と、高電圧発生器２２が発生した上述の高電圧を回転架台部６に設けられたＸ線管２１へ供給するスリップリング２４を備えている。
【００２０】
Ｘ線管２１は、Ｘ線を発生する真空管であり、高電圧発生器２２から供給される高電圧によって加速した電子をタングステンターゲットに衝突させてＸ線を放射する。一方、Ｘ線絞り器２３は、Ｘ線管２１と被検体１５０の間に設けられ、Ｘ線管２１から放射されたＸ線を所定の撮影領域に絞り込む機能と被検体１５０に対するＸ線の照射強度分布を設定する機能を有している。例えば、Ｘ線管２１から放射されたＸ線ビームを撮影領域に対応したコーンビーム状あるいはファンビーム状のＸ線ビームに成形する。
【００２１】
次に、投影データ生成部３は、被検体１５０を透過したＸ線を検出するＸ線検出器３１と、Ｘ線検出器３１から出力された複数チャンネルの検出信号（投影データ）に対して電流／電圧変換とＡ／Ｄ変換を行なうデータ収集ユニット（以下、ＤＡＳ(Data Acquisition System)ユニットと呼ぶ。）３２と、ＤＡＳユニット３２の出力信号に対してパラレル／シリアル変換、電気／光／電気変換及びシリアル／パラレル変換を行なうデータ伝送回路３３を備えている。
【００２２】
投影データ生成部３のＸ線検出器３１は、例えば、２次元配列された図示しない複数個のＸ線検出素子を備え、このＸ線検出素子の各々は、Ｘ線を光に変換するシンチレータと光を電気信号に変換するフォトダイオードによって構成されている。そして、これらのＸ線検出素子は、Ｘ線管２１の焦点を中心とした円弧に沿って回転架台部６に取り付けられている。
【００２３】
一方、ＤＡＳユニット３２は、Ｘ線検出器３１から供給された投影データに対して電流／電圧変換とＡ／Ｄ変換を行なう。そして、データ伝送回路３３は、図示しないパラレル／シリアル変換器と電気／光／電気変換器とシリアル／パラレル変換器を有し、ＤＡＳユニット３２から出力された投影データは、回転架台部６に取り付けられた前記パラレル／シリアル変換器において時系列的な１チャンネルの投影データに変換され、前記電気／光／電気変換器を用いた光通信により固定架台部７に取り付けられた前記シリアル／パラレル変換器に供給される。
【００２４】
次いで、前記シリアル／パラレル変換器において、１チャンネルの投影データは前記複数チャンネルの投影データに戻されて画像データ生成部４に設けられた投影データ記憶部に保存される。尚、このデータ伝送方法は、回転架台部６に設けられた投影データ生成部３と固定架台部７の外部に設けられた画像データ生成部４の間の信号伝送が可能であれば他の方法に替えることが可能であり、例えば、既に述べたスリップリング等のデバイスを使用しても構わない。
【００２５】
そして、Ｘ線発生部２のＸ線管２１及びＸ線絞り器２３と上述の投影データ生成部３は、被検体１５０を挟むように対向して回転架台部６に装着され、移動機構部１０により被検体１５０の体軸方向（ｚ軸方向）に平行な軸を回転中心として高速回転する。
【００２６】
次に、画像データ生成部４は、図示しない投影データ記憶部及び再構成処理部を備え、Ｘ線発生部２及び投影データ生成部３を用いたＸ線ＣＴ撮影にて収集される投影データを再構成処理して画像データを生成する機能を有している。
【００２７】
即ち、前記投影データ記憶部には、被検体１５０の周囲における回転架台部６の高速回転によって収集された、例えば、マルチスライスモードの投影データが回転架台部６の回転角度情報を付帯情報として保存される。
【００２８】
一方、前記再構成処理部は、各種の処理プログラムが予め保管されているプログラム保管部と演算部を備えている。前記演算部は、入力部１１からシステム制御部１２を介して供給される画像データ生成条件を受信し、この画像データ生成条件の再構成処理に好適な処理プログラムを前記プログラム保管部から読み出す。そして、上述の投影データ記憶部から読み出した投影データを前記処理プログラムを用いて再構成処理することにより複数のスライス断面における画像データを生成する。
【００２９】
表示部５は、図示しない表示データ生成部とモニタを備えている。前記表示データ生成部は、画像データ生成部４において生成された画像データを所定の表示フォーマットに変換して表示データを生成し前記モニタに表示する。
【００３０】
次に、被検体１５０を保持する保持具９は、移動機構部１０に設けられた後述の保持具揺動部１０２に接続され、天板８の上面に沿って体軸方向へ揺動する機能を有している。図２は、天板８の上面に設けられた保持具９の揺動方向を示したものであり、この保持具９は、天板８に対してスライド自在に据え付けられ、その上部には当該Ｘ線ＣＴ撮影が行なわれる被検体１５０が保持されている。そして、保持具９及びこの保持具９によって保持された被検体１５０は、保持具揺動部１０２により体軸方向（ｚ軸方向）に対して揺動運動を行なう。
【００３１】
尚、被検体１５０の揺動に際し、保持具９に保持された被検体１５０の検査対象部位１５１とＸ線管２１及びＸ線検出器３１によって形成される撮影領域１５２とが一致するような撮影位置Ｚ０の設定が、保持具９を載置した天板８の体軸方向における位置を調整することによって行なわれ、撮影位置Ｚ０を中心として被検体１５０を保持した保持具９の体軸方向における揺動が行なわれる。
【００３２】
図１へ戻って、移動機構部１０は、架台回転部１０１、保持具揺動部１０２、天板移動部１０３及び機構制御部１０４を備えている。架台回転部１０１は回転機構を有し、機構制御部１０４から供給される架台回転制御信号に従ってＸ線管２１及びＸ線検出器３１が搭載された回転架台部６を被検体１５０の周囲にて所定の回転速度で高速回転させる。
【００３３】
保持具揺動部１０２は揺動機構を有し、機構制御部１０４から供給される保持具揺動制御信号に従って被検体１５０が保持された保持具９を天板８の上面に沿って体軸方向へ揺動させる。一方、天板移動部１０３は移動機構を有し、機構制御部１０４から供給される天板移動制御信号に従って保持具９と共に載置された被検体１５０の検査対象部位がＸ線管２１及びＸ線検出器３１によって形成される撮影領域の略中心部に位置するように天板８を体軸方向へ移動させる。
【００３４】
機構制御部１０４は、図示しない制御回路と移動条件記憶回路を備え、前記移動条件記憶回路には、入力部１１において設定された保持具９の最大揺動速度及び最大揺動振幅や回転架台部６の回転速度等の情報が保存されている。そして、前記制御回路は、前記移動条件記憶回路から読み出した上述の情報に基づいて架台回転制御信号、保持具揺動制御信号及び天板移動制御信号を生成し、架台回転部１０１、保持具揺動部１０２及び天板移動部１０３へ供給する。
【００３５】
次に、入力部１１は、キーボード、切換えスイッチ、マウス等の入力デバイスや表示パネルを備え、表示部５と組み合わせて用いることによりインターラクティブなインターフェースを形成している。そして、被検体情報の入力、被検体１５０に対する揺動条件（最大揺動速度及び最大揺動振幅）の設定、回転架台部６の回転速度を含む撮影条件の設定、画像データ生成条件及び画像データ表示条件の設定、更には、撮影位置Ｚ０の設定を目的とした天板移動指示信号、被検体１５０の揺動を開始あるいは停止するための揺動開始指示信号及び揺動停止指示信号、Ｘ線ＣＴ撮影を開始するための撮影開始指示信号の入力等が上述の表示パネルや入力デバイスを用いて行なわれる。
【００３６】
システム制御部１２は、入力部１１から供給される上述の入力情報及び設定情報に基づいて照射条件制御部１、投影データ生成部３、画像データ生成部４、移動機構部１０をはじめとする各ユニットを統括的に制御し、被検体１５０に対する睡眠誘導及びＸ線ＣＴ撮影を行なう。
【００３７】
（睡眠誘導の手順）
次に、本実施例における睡眠誘導の手順を図３のフローチャートに沿って説明する。
【００３８】
被検体（小児）１５０に対するＸ線ＣＴ撮影に先立ち、医用画像診断装置１００の操作者は、予め用意された保持具９を天板８に対してスライド自在に据付け、更に、保持具９に被検体１５０を載置する（図３のステップＳ１及びステップＳ２）。
【００３９】
保持具９に対する被検体１５０の載置が終了したならば、操作者は、入力部１１において被検体情報の入力、被検体１５０に対する揺動条件（最大揺動速度及び最大揺動振幅）の設定、回転架台部６の回転速度を含む撮影条件の設定、画像データ生成条件及び画像データ表示条件の設定等を行なった後、天板移動指示信号を入力して天板８を体軸方向へ移動させ、保持具９に保持された被検体１５０の検査対象部位が回転架台部６のＸ線管２１及びＸ線検出器３１によって形成される撮影領域の中央部に配置されるような撮影位置Ｚ０を設定する（図３のステップＳ３）。尚、入力部１１において設定された上述の最大揺動速度及び最大揺動振幅の情報や回転速度の情報は、移動機構部１０の機構制御部１０４に備えられた移動条件記憶回路に保存される。
【００４０】
次いで、操作者は、被検体１５０の揺動を開始するための指示信号（揺動開始指示信号）を入力部１１において入力し（図３のステップＳ４）、システム制御部１２を介して上述の指示信号を受信した移動機構部１０の機構制御部１０４は、ステップＳ３において設定され自己の移動条件記憶回路に保存された揺動条件（最大揺動速度及び最大揺動振幅）に基づいて保持具揺動制御信号を生成し保持具揺動部１０２へ供給する。一方、移動機構部１０の保持具揺動部１０２は、機構制御部１０４から供給された上述の保持具揺動制御信号に従い被検体１５０が保持された保持具９を天板８の上面に沿って体軸方向へ揺動させる（図３のステップＳ５）。
【００４１】
次いで、操作者は、保持具９と共に揺動運動を繰り返している被検体１５０が睡眠状態にあるか否かを観察し、睡眠状態にあることを確認したならば被検体１５０の揺動を停止するための指示信号（揺動停止指示信号）を入力部１１において入力する（図３のステップＳ６）。一方、システム制御部１２を介して供給された上述の揺動停止指示信号を受信した機構制御部１０４は、保持具９の揺動を停止させるための保持具揺動制御信号を生成し、保持具揺動部１０２は、機構制御部１０４から供給される上述の保持具揺動制御信号に従って被検体１５０が保持された保持具９の揺動を除除に停止させる（図３のステップＳ７）。
【００４２】
そして、保持具９に保持された被検体１５０の検査対象部位が撮影位置Ｚ０において停止したならば、操作者は、Ｘ線ＣＴ撮影を開始するための指示信号（撮影開始指示信号）を入力部１１において入力し（図３のステップＳ８）、この指示信号を受信したシステム制御部１２は、医用画像診断装置１００が備える各ユニットを統括的に制御して被検体１５０に対するＸ線ＣＴ撮影を開始する（図３のステップＳ９）。
【００４３】
次に、揺動停止指示信号に基づいた被検体１５０の揺動停止方法につき図４を用いて説明する。尚、図４（ａ）は、被検体１５０を載置した保持具９の揺動振幅を除除に縮小させ撮影位置Ｚ０において停止させる方法を、又、図４（ｂ）は、保持具９の揺動を行なわずに撮影位置Ｚ０において停止させる方法を示しており、縦軸は、撮影位置Ｚ０を中心とした保持具９の位置（揺動変位）、横軸は時間を夫々示している。
【００４４】
即ち、図４（ａ）に示す方法では、時刻Ｔ１における揺動開始指示信号（図３のステップＳ４）の入力により、保持具９は、最大揺動振幅Ｚｍａｘを有する揺動を開始し、被検体１５０が睡眠状態に入った時刻Ｔ２における揺動停止指示信号の入力（図３のステップＳ６）により揺動振幅を除除に縮小させながら揺動を繰り返す。そして、保持具９の揺動振幅が零となり被検体１５０の検査対象部位が撮影位置Ｚ０において停止する時刻Ｔ３において撮影開始指示信号が入力され（図３のステップＳ８）、この撮影開始指示信号に従って被検体１５０に対するＸ線ＣＴ撮影が開始される。
【００４５】
一方、図４（ｂ）に示す方法では、時刻Ｔ１における揺動開始指示信号の入力により、保持具９は、図４（ａ）の場合と同様な最大揺動振幅Ｚｍａｘを有する揺動を開始し、被検体１５０が睡眠状態に入った時刻Ｔ２における揺動停止指示信号の入力により、揺動させない状態で撮影位置Ｚ０に向けて移動する。そして、保持具９に保持された被検体１５０の検査対象部位が撮影位置Ｚ０において停止する時刻Ｔ３において撮影開始指示信号が入力され被検体１５０に対するＸ線ＣＴ撮影が開始される。
【００４６】
（変形例）
次に、本実施例の変形例につき図５乃至図７を用いて説明する。上述の実施例では、時刻Ｔ２において入力される揺動停止指示信号に従い、保持具９の揺動振幅を除除に縮小させた状態あるいは揺動を停止させた状態で被検体１５０の検査対象部位を撮影位置Ｚ０に停止させる方法について述べたが、本変形例では、保持具９の揺動を常時継続して行ない、時刻Ｔ２において揺動停止指示信号が入力されたならば、保持具９の揺動方向に対して反対の方向に天板８を往復移動させることにより上述の検査対象部位を撮影位置Ｚ０に停止させる方法について説明する。
【００４７】
図５は、本変形例における保持具９の揺動方向及び天板８の往復移動方向を示したものであり、この天板８は図示しない寝台の上部にて体軸方向（ｚ軸方向）に対しスライド自在に装着され、更に、天板８の上面には被検体１５０を保持した保持具９が体軸方向に対してスライド自在に据え付けられている。そして、保持具９及びこの保持具９に保持された被検体１５０は、移動機構部１０の保持具揺動部１０２により揺動振幅Ｚｘを有した体軸方向の揺動を天板８の上面に沿って行なう。
【００４８】
一方、保持具９が据え付けられた天板８は、移動機構部１０の天板移動部１０３により保持具９の揺動方向に対して反対の方向へ往復移動する。この場合、保持具９の揺動及び天板８の往復移動は、予め設定された撮影位置Ｚ０を中心として行なわれ、保持具９に保持された被検体１５０の撮影位置Ｚ０からの変位は、天板８に対する保持具９の揺動変位と撮影位置Ｚ０に対する天板８の移動変位との和によって決定される。
【００４９】
次に、本変形例における睡眠誘導の手順を図６のフローチャートに沿って説明する。但し、図６において、図３に示したステップと同一のステップは同一の符号を付加し詳細な説明は省略する。
【００５０】
即ち、医用画像診断装置１００の操作者は、図６のステップＳ１及びステップＳ２における保持具９の据付けと被検体１５０の保持、ステップＳ３における撮影位置Ｚ０の設定、ステップＳ４における揺動開始指示信号の入力を順次行なって保持具９の揺動を開始させる。そして、保持具９の揺動により被検体１５０が睡眠状態に入ったことを確認したならば被検体１５０の揺動を停止させるための揺動停止指示信号を入力部１１において入力する（図６のステップＳ６）。
【００５１】
システム制御部１２を介して上述の揺動停止指示信号を受信した移動機構部１０の機構制御部１０４は、天板８の体軸方向に対する往復移動を開始させるための天板移動制御信号を生成し、天板移動部１０３は、機構制御部１０４から供給された上述の天板移動制御信号に従い、保持具９が据え付けられた天板８を保持具９の揺動方向と反対の方向へその移動振幅を除除に増大させながら往復移動させる（図６のステップＳ１７）。
【００５２】
そして、保持具９の揺動変位が天板８の移動変位によって相殺されることにより被検体１５０の検査対象部位が予め設定された撮影位置Ｚ０において停止したならば撮影開始指示信号が入力部１１において入力され、被検体１５０に対するＸ線ＣＴ撮影が開始される（図６のステップＳ８及びステップＳ９）。
【００５３】
図７は、上述のステップＳ１７における保持具９の揺動変位（図７（ａ））と天板８の移動変位（図７（ｂ））を説明するための図であり、縦軸は、天板８の移動変位Ｚ２を基準とした保持具９の揺動変位Ｚ１及び撮影位置Ｚ０を基準とした天板８の移動変位Ｚ２、横軸は、時間を示している。
【００５４】
即ち、保持具９は、図７（ａ）に示すように時刻Ｔ１において入力される揺動開始指示信号に基づいて揺動振幅Ｚｘを有する体軸方向の揺動を天板８の上面に沿って開始し、被検体１５０が睡眠状態に入った時刻Ｔ２以降においても同様の揺動を継続して行なう。一方、天板８は、図７（ｂ）に示すように時刻Ｔ２において入力される揺動停止指示信号に基づき保持具９の揺動方向と反対の方向に対して往復移動を開始する。そして、天板８の往復移動における移動振幅を除除に増大させ、往復移動の移動変位Ｚ２が揺動変位Ｚ１と等しくなる（即ち、ｚ方向における揺動変位が−ｚ方向における移動変位によって相殺される）ことにより被検体１５０の検査対象部位が撮影位置Ｚ０に停止する時刻Ｔ３において撮影開始指示信号が入力され、被検体１５０に対するＸ線ＣＴ撮影が開始される。
【００５５】
以上述べた本発明の実施例及びその変形例によれば、保持具に保持された被検体を前記保持具と共に所定の方向へ揺動することにより、前記被検体を短時間で睡眠状態へ誘導することができる。このため、モーションアーチファクトが大幅に低減された画像データを容易に収集することが可能となり、被検体に対する検査効率や診断精度を向上させることができる。
【００５６】
又、上述の変形例によれば、保持具が据え付けられた天板を保持具の揺動方向に対して反対の方向へ往復移動させることにより保持具の揺動を停止させることなく被検体を所望の撮影位置に停止させることができるため、良好な睡眠状態を持続させたまま被検体に対するＸ線ＣＴ撮影を開始することが可能となる。
【００５７】
以上、本発明の実施例及びその変形例について述べてきたが、本発明は上述の実施例及びその変形例に限定されるものではなく、更に変形して実施することが可能である。例えば、上述の実施例及びその変形例では、Ｘ線ＣＴ画像データの生成を可能とする医用画像診断装置１００について述べたが、Ｘ線画像データ、ＭＲＩ画像データ、核医学画像データ等の他の画像データを生成する医用画像診断装置であってもよい。
【００５８】
又、被検体１５０を保持する保持具９は、天板８の上面に沿って体軸方向へ揺動する場合について述べたが、揺動停止指示信号が入力部１１において入力されるまでは、他の方向に対する揺動や移動を体軸方向の揺動に追加してもよい。
【００５９】
更に、保持具９の揺動に必要な最大揺動速度や最大揺動振幅等の揺動条件は、画像データ生成条件や画像データ表示条件と共に入力部１１において初期設定される場合について述べたが、これらの情報は、例えば、システム制御部１２が備える記憶回路等において予め保管されていても構わない。
【００６０】
一方、上述の実施例及びその変形例におけるＸ線ＣＴ撮影は、被検体１５０の睡眠状態を観察した医用画像診断装置１００の操作者が入力部１１において入力する撮影開始指示信号に基づいて開始される場合について述べたが、被検体１５０の揺動有無を検出する揺動検出部を新たに設け、この揺動検出部が出力する検出結果に基づいて上述のＸ線ＣＴ撮影を開始してもよい。
【００６１】
又、上述の実施例では、保持具９を天板８の上面に据え付ける場合について述べたが、これに限定されるものではなく、固定架台部７や図示しない寝台等に据え付けても構わない。
【符号の説明】
【００６２】
１…照射条件設定部
２…Ｘ線発生部
２１…Ｘ線管
２２…高電圧発生器
２３…Ｘ線絞り器
２４…スリップリング
３…投影データ生成部
３１…Ｘ線検出器
３２…ＤＡＳユニット
３３…データ伝送回路
４…画像データ生成部
５…表示部
６…回転架台部
７…固定架台部
８…天板
９…保持具
１０…移動機構部
１０１…架台回転部
１０２…保持具揺動部
１０３…天板移動部
１０４…機構制御部
１１…入力部
１２…システム制御部
１００…医用画像診断装置
【図１】
2011161033.tif 000003
【図２】
2011161033.tif 000004
【図３】
2011161033.tif 000005
【図４】
2011161033.tif 000006
【図５】
2011161033.tif 000007
【図６】
2011161033.tif 000008
【図７】
2011161033.tif 000009